(57)【要約】【課題】工場内に設置される工作機械の詳細な機械情報を一元管理するとともに、工場レイアウト図から照会することを可能とする。【解決手段】工場内に設置されたすべての工作機械１の少なくとも仕様情報及び保守情報を含む機械情報を一元管理する管理装置２であって、工場内の工作機械１の位置情報と、工作機械１の機械情報と、を記憶する記憶部２１と、工場内の工作機械１の配置状態を表示するための工場レイアウト情報を出力する工場レイアウト提供部２０５と、出力された工場レイアウト情報を介して選択される工作機械１の機械情報を記憶部２１から取得し、取得した機械情報を選択された工作機械１に対応付けて出力する機械情報提供部２０６と、を備える。【選択図】図１
2020016998.tif 000002
【特許請求の範囲】
【請求項１】
工場内に設置されたすべての産業用機械の少なくとも仕様情報及び保守情報を含む機械情報を一元管理する管理装置であって、
前記管理装置は、
記憶部と、制御部と、を備え、
前記記憶部は、
工場内に設置されたすべての産業用機械の位置情報と、
すべての産業用機械の機械情報と、を記憶し、
前記仕様情報は、少なくとも前記産業用機械に係るハードウェア仕様、ソフトウェア仕様、ネットワーク仕様、及びバージョン情報を含み、
前記制御部は、
前記記憶部に記憶された前記産業用機械の位置情報に基づいて、前記工場内の前記産業用機械の配置状態を表示するための工場レイアウト情報を出力する工場レイアウト提供部と、
出力された前記工場レイアウト情報を介して選択される前記産業用機械の機械情報を前記記憶部から取得し、取得した機械情報を選択された前記産業用機械に対応付けて出力する機械情報提供部と、
を備える管理装置。
【請求項２】
前記工場レイアウト提供部は、
前記工場レイアウト情報を通信可能に接続されるクライアント端末に出力し、
前記機械情報提供部は、
前記産業用機械の機械情報を前記クライアント端末に出力する請求項１に記載の管理装置。
【請求項３】
前記制御部は、さらに、
通信可能に接続される前記産業用機械から、前記産業用機械に格納された機械情報を収集する機械情報収集部と、
前記機械情報収集部により収集した前記産業用機械の機械情報に基づいて、前記記憶部に記憶される産業用機械の機械情報を追加又は更新する機械情報登録部と、
を備える、請求項１又は請求項２に記載の管理装置。
【請求項４】
前記機械情報収集部は、さらに、
通信可能に接続される外部の情報提供サーバから前記産業用機械に係る機械情報を収集する、請求項３に記載の管理装置。
【請求項５】
前記機械情報は、さらに、
当該産業用機械に係る静止画像データ及び／又は動画データを含む、請求項１から請求項４の何れか１項に記載の管理装置。
【請求項６】
前記産業用機械に係る静止画像データ及び／又は動画データは、前記産業用機械を操作する作業者及び／又は前記産業用機械を保守する保守作業者の携行する携帯端末により撮像されたデータを含む、請求項５に記載の管理装置。
【発明の詳細な説明】
【技術分野】
【０００１】
本発明は、工場に設置された様々な種類の工作機械やロボットを含む産業用機械（以下「産業用機械」ともいう）に係る機械情報を一元管理して、ユーザに対して工場内に設置されている様々な種類の産業機械の詳細な機械情報を容易に把握することができるように、特に工場レイアウト図から、当該産業機械に係る機械情報へのアクセス機能を提供する産業用機械等の管理装置に関する。
【背景技術】
【０００２】
従来、工場には、様々な種類の工作機械やロボットを含む産業用機械が設置されており、設備管理者又は作業者が工場内に設置された工作機械やロボットを含む産業用機械の詳細な機械情報や保守情報を把握したい場合、例えば、当該場所に設置されている工作機械やロボットを含む産業用機械の装置名称を調べて、装置名称（装置識別情報）に基づいて、当該工作機械やロボットを含む産業用機械の機械情報を検索する必要がある。
他方、大規模な工場内で設置されている様々な種類の工作機械やロボットを含む産業用機械について、当該機械の設置場所から個々の装置名称（装置識別情報）を特定することは困難であった。しかも、生産ラインの組み換え等によって、工場内での各工作機械やロボットを含む産業用機械の設置位置が変動することから、勤務歴の長い設備管理者又は作業者であっても、工場に設置された様々な種類の工作機械やロボットを含む産業用機械の詳細な機械情報を把握することは困難であった。
【０００３】
この点、特許文献１には、工場内に設置されている複数の射出成形機の動作状態を監視するための状態監視画面を有する制御装置であって、状態監視画面には、少なくとも１つの工場を示す工場エリアが表示され、工場エリア内には、射出成形機に対応するアイコンが実際の射出成形機の工場内での配置関係で表示され、アイコンを操作することにより、アイコンに対応する射出成形機の動作状態に係る情報を表示する制御装置が開示されている。
【先行技術文献】
【特許文献】
【０００４】
【特許文献１】特開２００４−１５５０５３号公報
【発明の概要】
【発明が解決しようとする課題】
【０００５】
しかしながら、特許文献１に記載の制御装置は、各射出成形機の動作状態に係る情報を表示するものであって、射出成形機の機械情報を一元管理して、表示するものではないので、設備管理者又は作業者は、工場内の設置されている種々の種類の工作機械の詳細な機械情報を把握することは、依然として容易ではないという問題点があった。
【０００６】
本発明は、工場に設置された様々な種類の工作機械やロボットを含む産業用機械等の機械情報を一元管理して、ユーザに対して工場内に設置されている様々な種類の工作機械やロボットを含む産業用機械等の詳細な機械情報を把握することができるように、特に工場レイアウト図から、当該機械情報へのアクセス機能を提供する工作機械やロボットを含む産業用機械等の管理装置を提供することを目的とする。
【課題を解決するための手段】
【０００７】
（１）  本発明は、工場内に設置されたすべての産業用機械（例えば、後述の「工作機械１」）の少なくとも仕様情報及び保守情報を含む機械情報を一元管理する管理装置（例えば、後述の「管理装置２」）であって、前記管理装置は、記憶部（例えば、後述の「記憶部１１」）と、制御部（例えば、後述の「制御部１０」）と、を備え、前記記憶部は、工場内に設置されたすべての産業用機械の位置情報と、すべての産業用機械の機械情報と、を記憶し、前記仕様情報は、少なくとも前記産業用機械に係るハードウェア仕様、ソフトウェア仕様、ネットワーク仕様、及びバージョン情報を含み、前記制御部は、前記記憶部に記憶された前記産業用機械の位置情報に基づいて、前記工場内の前記産業用機械の配置状態を表示するための工場レイアウト情報を出力する工場レイアウト提供部（例えば、後述の「工場レイアウト提供部２０５」）と、出力された前記工場レイアウト情報を介して選択される前記産業用機械の機械情報を、前記記憶部から取得し、取得した機械情報を選択された前記産業用機械に対応付けて出力する機械情報提供部（例えば、後述の「機械情報提供部２０６」）と、を備える管理装置に関する。
【０００８】
（２）  （１）に記載の管理装置において、前記工場レイアウト提供部は、前記工場レイアウト情報を通信可能に接続されるクライアント端末（例えば、後述の「クライアント端末３」）に出力し、前記機械情報提供部は、前記産業用機械の機械情報を前記クライアント端末に出力するようにしてもよい。
【０００９】
（３）  （１）又は（２）に記載の管理装置において、前記制御部は、さらに、通信可能に接続される前記産業用機械から、前記産業用機械に格納された機械情報を収集する機械情報収集部（例えば、後述の「機械情報収集部２０４」）と、前記機械情報収集部により収集した前記産業用機械の機械情報に基づいて、前記記憶部に記憶される産業用機械の機械情報を追加又は更新する機械情報登録部（例えば、後述の「機械情報登録部２０３」）と、を備えるようにしてもよい。
【００１０】
（４）  （３）に記載の管理装置において、前記機械情報収集部は、さらに、通信可能に接続される外部の情報提供サーバ（例えば、後述の「情報提供サーバ４」）から前記産業用機械に係る機械情報を収集するようにしてもよい。
【００１１】
（５）  （１）から（４）のいずれかに記載の管理装置において、前記機械情報は、さらに、当該産業用機械に係る静止画像データ及び／又は動画データを含むようにしてもよい。
【００１２】
（６）  （５）に記載の管理装置において、前記産業用機械に係る静止画像データ及び／又は動画データは、前記産業用機械を操作する作業者及び／又は前記産業用機械を保守する保守作業者の携行する携帯端末（例えば、後述の「クライアント端末３」）により撮像されたデータを含むようにしてもよい。
【発明の効果】
【００１３】
本発明によれば、工場に設置された様々な種類の工作機械やロボットを含む産業用機械等の機械情報を一元管理して、ユーザに対して工場内に設置されている様々な種類の工作機械やロボットを含む産業用機械等の詳細な機械情報を把握することができるように、特に工場レイアウト図から、当該機械情報へのアクセス機能を提供する工作機械やロボットを含む産業用機械等の管理装置を提供することができる。
【図面の簡単な説明】
【００１４】
【図１】本実施形態に係る資産管理システムの構成を示す図である。
【図２】本実施形態に係る工作機械の構成を示す図である。
【図３】本実施形態に係る管理装置の構成を示す図である。
【図４】本実施形態に係る、新たに設置される工作機械１に関する機械情報データを新規登録するためのユーザインタフェース画面の一例を示す図である。
【図５】本実施形態に係る工場に設置された工作機械の配置状態を示す画面の一例を示す図である。
【図６】本実施形態に係る工作機械１の機械情報を表示する表示画面の一例を示す図である。
【図７】本実施形態に係るクライアント端末の構成を示す図である。
【発明を実施するための形態】
【００１５】
［一実施形態］
以下、本発明の好ましい一実施形態に係る資産管理システム１００の機能構成について図を参照しながら、説明する。図１は、資産管理システム１００のシステム構成を示す図である。
【００１６】
図１に示すように、資産管理システム１００は、工場内に設置された様々な種類の複数の工作機械１（例えば、旋盤、フライス盤、マシニングセンタ等）と、管理装置２と、任意の台数のクライアント端末３と、情報提供サーバ４と、ネットワーク５と、を含んで構成される。なお、本実施形態では、資産管理システムの一元管理対象として、工作機械を例示しているが、工作機械に限られない。工作機械の外、ロボットを含む産業用機械等を含めて、一元管理対象とすることができる。なお、情報提供サーバ４は、後述する、工作機械１に係るメーカー、ベンダー、メンテナンス会社等の提供するＷｅｂページ等のサーバを指す。
【００１７】
＜機械情報について＞
資産管理システム１００を構成する機能を説明する前に、資産管理システム１００において、一元管理される機械情報について説明する。
工作機械１に係る機械情報は、例えば、当該工作機械１の機械の型名や当該工作機械１で使用される工具の型名、ソフトウェア等の型名、仕様情報、機械の購入日等の外、当該工作機械１に係るメーカー、ベンダー、メンテナンス会社等の会社情報や各種情報提供先ＵＲＬ、当該工作機械１のＩＰアドレス等のアドレス情報、及び機械の仕様情報（例えば、電源仕様、環境仕様、ハードウェア仕様、ソフトウェア仕様、ネットワーク仕様、バージョン情報、軸情報等）を含むことが好ましい。また、機械情報に、機械に係る保守情報、例えば保守作業履歴情報（作業実施日時、保守作業者データ、保守作業内容データ、次回保守担当への申し送り事項等）の外、当該機械特有の保守作業手順データ等を含めてもよい。
また、当該工作機械１に係る画像データ、ＣＡＤ等の図面データ、当該工作機械１に係る操作や保守作業等に関する動画データ、各種電子マニュアル等を含めてもよい。
なお、一元管理される機械情報は、これらに限られない。設備管理者は、一元管理される機械情報を任意に設定することができる。
【００１８】
［工作機械１について］
図２に示すように、工作機械１は、制御部１０と、記憶部１１と、通信部１５と、入力部１６と、表示部１７と、を備える。
【００１９】
制御部１０は、マイクロプロセッサ等から構成され、各構成部の制御を行う。制御部１０は、工作機械１の動作を制御する動作制御部（図示せず）と、工作機械１の各軸を駆動制御する軸制御部（図示せず）と、各軸のサーボモータを制御するサーボ制御部（図示せず）等、工作機械１の公知の機能部に加えて、図２に示すように、機械情報登録処理部１０１と、機械情報アップロード部１０２と、を備える。
【００２０】
＜機械情報登録処理部１０１＞
後述するように、工作機械１は記憶部１１（機械情報記憶エリア１１１）に、当該工作機械１に係る機械情報を記憶することができる。なお、工作機械１が工場に出荷されるときに、当該工作機械１の記憶部１１（機械情報記憶エリア１１１）には、メーカー等により、当該工作機械１に係る工場出荷時の機械情報が記憶されている。
機械情報登録処理部１０１は、工作機械１の工場設置時や稼働時等に随時追加更新される各種機械情報を記憶部１１（機械情報記憶エリア１１１）に追加更新する。
より具体的には、例えば、工場等の製造現場に工作機械１が設置された時に設定される初期設定情報、保守作業者が当該機械１を保守した場合に、保守情報が機械情報の一部として入力部１６を介して入力された場合、機械情報登録処理部１０１は当該保守情報を記憶部１１（機械情報記憶エリア１１１）に追加更新する。
また、工作機械１の作業者により、当該工作機械１に係る工作動作（パラメータ設定等）に関する申し送り事項が機械情報の一部として入力部１６を介して入力された場合、機械情報登録処理部１０１は当該申し送り情報を記憶部１１（機械情報記憶エリア１１１）に追加更新することができる。
また、機械情報登録処理部１０１は、例えば、スマートフォンやタブレット端末等の携帯端末により作業者等の撮像した動画ファイルが機械情報の一部として入力部１６を介して入力された場合、機械情報登録処理部１０１は当該動画ファイルを記憶部１１（機械情報記憶エリア１１１）に追加更新することができる。
機械情報登録処理部１０１は、記憶部１１（機械情報記憶エリア１１１）に追加更新した情報ごとに、その追加更新日付情報（タイムスタンプ）を付加する。そうすることで、後述する機械情報アップロード部１０２は、追加更新日付情報と前回の送信日付情報とを比較することで、未送信の機械情報のみ送信することができる。
【００２１】
＜機械情報アップロード部１０２＞
機械情報アップロード部１０２は、後述するエージェント装置（図示せず）から、工作機械１の記憶部１１（機械情報記憶エリア１１１）に格納された機械情報の収集要求を受信した場合、機械情報記憶エリア１１１に格納された機械情報をエージェント装置に送信するとともに、送信した情報ごとに送信日付（タイムスタンプ）を記憶することが好ましい。
そうすることで、機械情報アップロード部１０２は、今回の日付情報と前回の送信日付情報とを比較することで、未送信の機械情報のみを送信することができ、データ転送の効率化を図ることができる。
【００２２】
記憶部１１は、例えば半導体メモリやハードディスクドライブ等で構成され、工作機械１による各種加工処理を制御するための各種プログラム、各種パラメータが記憶される。また、記憶部１１は、機械情報記憶エリア１１１を備え、当該工作機械１の固有の機械識別情報（機械ＩＤ）、当該機械に関する詳細な機械情報、例えば当該機械に係る仕様情報、保守情報等を記憶してもよい。なお、機械情報の詳細については、後述する。
【００２３】
通信部１５は、例えばＬＡＮ等を対象として構成され、制御部１０からの指示を受けて、工場内ネットワーク５Ａを介して後述するエージェント装置（図示せず）等とデータ通信する。
入力部１６は、例えばキーボード、表示部１７の表示面に重ねて設けられるタッチパネル等の入力装置、ＩＣカードリーダ、バーコードリーダ、又はＩＣタグリーダ等で構成される。
表示部１７は、例えば、液晶ディスプレイ等の表示デバイスにより構成され、制御部１０からの指示を受けて画面を表示する。
【００２４】
［管理装置２について］
図３に示すように、管理装置２は、制御部２０と、記憶部２１と、通信部２５と、入力部２６と、表示部２７と、を備える。
【００２５】
制御部２０は、例えばＣＰＵであり、記憶部２１から読み出した各プログラムを実行することで、制御部２０を所定の機能部（「機械情報一元管理部」と総称する）として機能させる。図３に示すように、制御部２０（機械情報一元管理部）は、工場レイアウト画像登録部２０１と、位置情報登録部２０２と、機械情報登録部２０３と、機械情報収集部２０４と、工場レイアウト提供部２０５と、機械情報提供部２０６と、を備える。制御部２０の詳細な説明は後述する。
【００２６】
記憶部２１は、例えば半導体メモリやハードディスクドライブ等で構成され、管理装置２の提供する各種機能（機械情報一元管理機能）を実行するための各種プログラム（「機械情報一元管理プログラム」という）が記憶される。また、記憶部２１は、図３に示すように、工場レイアウト画像テーブル２１１と、位置情報テーブル２１２と、機械情報テーブル２１３と、アイコン画像情報テーブル２１４と、を備える。
【００２７】
工場レイアウト画像テーブル２１１は、当該工場が新設されるときに、当該工場の工場識別情報（工場ＩＤ）に紐付けて、例えば、工場名、工場の所在地、工場レイアウト画像データ等を含む工場レイアウト画像データを記憶する。
【００２８】
位置情報テーブル２１２は、工場に設置されるすべての工作機械１について、当該工作機械１の固有の機械識別情報（機械ＩＤ）に紐付けて、例えば、工作機械１の設置される工場識別情報（工場ＩＤ）、工作機械１の工場レイアウト画像上における当該工作機械１の位置情報及び工場レイアウト画像上の位置に当該工作機械１を表示するための当該工作機械１のアイコン画像情報等を含む位置情報レコードを記憶する。
【００２９】
機械情報テーブル２１３は、工場内に設置されるすべての工作機械１の機械情報を当該工作機械１の固有の機械識別情報（機械ＩＤ）に紐付けて記憶する。
【００３０】
アイコン画像情報テーブル２１４には、工作機械１に対応するアイコン画像に関する情報をアイコン画像識別情報（アイコンＩＤ）に紐づけて記憶する。具体的には、アイコン画像が表す工作機械１の機械識別情報、アイコン画像データ等を記憶する。なお、工作機械１の型名等が同じ場合にアイコン画像を同じものとしてもよい。この場合、アイコンＩＤには、例えば工作機械１の型名を対応付けるようにしてもよい。
【００３１】
通信部２５は、制御部２０からの指示を受けて、工場内ネットワーク５Ａを介して後述するエージェント装置（図示せず）等とデータ通信する。また、広域ネットワーク５Ｂを介して、後述する工作機械１に係るメーカー、ベンダー、メンテナンス会社等の提供するＷｅｂページ等のＵＲＬ（情報提供サーバ４）にアクセスする。また、通信部２２は、ネットワーク５を介して後述するクライアント端末３とデータ通信する。
入力部２６は、例えばキーボード、表示部２７の表示面に重ねて設けられるタッチパネル等の入力装置、ＩＣカードリーダ、バーコードリーダ、又はＩＣタグリーダ等で構成される。
表示部２７は、例えば、液晶ディスプレイ等の表示デバイスにより構成され、制御部２０からの指示を受けて画面を表示する。
次に制御部２０について説明する。
【００３２】
＜工場レイアウト画像登録部２０１＞
工場レイアウト画像登録部２０１は、工場が新設されるときに、工場識別情報（工場ＩＤ）に紐付けて、工場名、工場の住所、工場レイアウト画像データ等を記憶部２１（工場レイアウト画像テーブル２１１）に登録する。
ここで、工場レイアウト画像データは、当該工場内の工作機械等の設置位置を示すための（例えば、平面上の）座標を備える。工場レイアウト画像データは２次元画像に限られない。３次元画像データとしてもよい。なお、工場レイアウト画像データの作成方法は、当業者にとって公知であり、詳細な説明は省略する。
【００３３】
＜位置情報登録部２０２＞
位置情報登録部２０２は、工場に工作機械１が新たに設置されるとき、又は工作機械１の（同一工場内又は他の工場への）移設が行われるとき、当該工作機械１の工場レイアウト画像上における、当該工作機械１の位置情報等を含む位置情報レコードの生成又は更新を行い、記憶部２１（位置情報テーブル２１２）に記憶する。
このため、図３に示すように、位置情報登録部２０２は、位置情報生成部２０２１と位置情報更新部２０２２と、を備える。
【００３４】
［位置情報生成部２０２１］
位置情報生成部２０２１は、工場に工作機械１が新たに設置されるとき、当該工場に対応する工場レイアウト画像上における当該工作機械１の位置情報及び工場レイアウト画像上の位置に当該工作機械１を表示するための当該工作機械１のアイコン画像に係る情報等を当該工作機械１の固有の機械識別情報（機械ＩＤ）に紐付けて、位置情報レコードとして記憶部２１（位置情報テーブル２１２）に追加格納する。
【００３５】
より具体的には、位置情報生成部２０２１は、表示部２７や通信可能に接続されたクライアント端末３の表示部３７に新たに設置された工作機械１に関する位置情報及びアイコン画像情報等を新規登録するためのユーザインタフェース画面を表示させるようにしてもよい。そうすることで、登録データが入力部２６やクライアント端末３を介して入力されると、入力された登録データに基づいて、当該工作機械１の位置情報レコードを記憶部２１（位置情報テーブル２１２）に追加格納する。
なお、本実施形態においては、記憶部２１にアイコン画像データをアイコン画像識別情報（アイコンＩＤ）に紐付けて、アイコン画像情報テーブル２１４に記憶するものとする。そうすると、位置情報レコードに含むアイコン画像情報は、アイコン画像識別情報（アイコンＩＤ）としてもよい。
工作機械１の位置情報レコードは、当該工作機械１の固有の機械識別情報（機械ＩＤ）に紐付けて、例えば、位置情報レコードが設置される工場名（工場ＩＤ）、工作機械１の位置情報（また、工場レイアウト）、当該工作機械１の設置日、当該工作機械１に対応するアイコン画像識別情報（アイコンＩＤ）等を含むことが好ましい。
【００３６】
［位置情報更新部２０２２］
位置情報更新部２０２２は、例えば生産ラインの組み換え等により、工作機械１の同一工場内の他の位置への移設又は他の工場への移設が行われるとき、移設先データ（移設先の工場ＩＤ、移設先の工場レイアウト画像上の位置情報、移設日等）が入力部２６を介して入力されると、移設先データに基づいて、記憶部２１（位置情報テーブル２１２）に記憶された当該工作機械１の位置情報レコードを更新する。
より具体的には、位置情報更新部２０２２は、表示部２７や通信可能に接続されたクライアント端末３の表示部３７に移設先データ等を入力するためのユーザインタフェース画面を表示させ、移設先データが入力部２６やクライアント端末３を介して入力されると、入力された移設先データに基づいて、当該工作機械１の位置情報レコードを更新するようにしてもよい。
【００３７】
＜機械情報登録部２０３＞
機械情報登録部２０３は、工場に工作機械１が新たに設置されるとき、又は工作機械１のアップデートが行われるとき、当該工作機械１に係る機械情報の生成又は更新を行い、機械情報の最新情報を一元管理するために、記憶部２１（機械情報テーブル２１３）に記憶する。
該工作機械１に係る機械情報レコードには、前述したように、例えば、当該工作機械１の機械の型名や当該工作機械１で使用される工具、ソフトウェア等の各型名、機械の購入日等の外、当該工作機械１に係るメーカー、ベンダー、メンテナンス会社等の会社情報や各種情報提供先ＵＲＬ、当該工作機械１のＩＰアドレス等のアドレス情報、及び機械の仕様情報（例えば、電源仕様、環境仕様、ハードウェア仕様、ソフトウェア仕様、ネットワーク仕様、バージョン情報、軸情報等）を含むことが好ましい。なお、記憶部２１（機械情報テーブル２１３）に記憶する機械情報は、上記例示した機械情報に限られない。ユーザは必要に応じて、記憶部２１（機械情報テーブル２１３）に記憶する機械情報を設定することができる。
図３に示すように、機械情報登録部２０３は、機械情報生成部２０３１と機械情報更新部２０３２と、を備える。
【００３８】
［機械情報生成部２０３１］
機械情報生成部２０３１は、工場に工作機械１が新たに設置されるとき、新たに設定された当該工作機械１の固有の機械識別情報（機械ＩＤ）に紐付けて、当該工作機械１に関する機械情報データを、当該工作機械１の機械情報レコードとして記憶部２１（機械情報テーブル２１３）に追加格納する。
より具体的には、機械情報生成部２０３１は、図４に示すように、表示部２７や通信可能に接続されたクライアント端末３の表示部３７に新たに設置される工作機械１に関する機械情報データを新規登録するためのユーザインタフェース画面を表示させるようにしてもよい。そうすることで、新たに設置された工作機械１に関する機械情報データを新規登録するための登録データが入力部２６やクライアント端末３を介して入力されると、登録データに基づいて、当該工作機械１の機械情報レコードを記憶部２１（機械情報テーブル２１３）に追加格納することができる。
【００３９】
なお、工作機械１に関する機械情報データを新規登録するための登録データとして、工作機械１の記憶部１１（機械情報記憶エリア１１１）に記憶された工場設置時の機械情報を入力データとしてもよい。なお、登録データが、当該工作機械１の記憶部１１（機械情報記憶エリア１１１）に記憶された機械情報以外の機械情報を含む場合、登録データを当該工作機械１の記憶部１１（機械情報記憶エリア１１１）に記憶することが好ましい。そうすることにより、工作機械１の記憶部１１（機械情報記憶エリア）に記憶された機械情報と、管理装置２の記憶部２１（機械情報テーブル２１３）に記憶される機械情報とを一致させることができる。
【００４０】
［機械情報更新部２０３２］
機械情報更新部２０３２は、例えば工作機械１のアップデートが行われるとき、アップデート情報が入力されると、アップデート情報に基づいて、記憶部２１（機械情報テーブル２１３）に記憶された当該工作機械１の機械情報レコードを更新する。
より具体的には、機械情報更新部２０３２は、後述する機械情報収集部２０４により定期的又は必要に応じて自動収集される工作機械１の機械情報データ、及び／又は入力部２６やクライアント端末３を介して入力される機械情報更新データに基づいて、記憶部２１（機械情報テーブル２１３）に記憶された当該工作機械１の機械情報レコードを更新する。なお、入力部２６やクライアント端末３を介して入力される場合、図４の場合と同様に、表示部２７に任意データを入力するためのユーザインタフェース画面を表示させるようにしてもよい。
【００４１】
＜機械情報収集部２０４＞
機械情報収集部２０４は、定期的、又は必要に応じて予め設定されたスケジュールで、工場に設置された様々な種類の工作機械１の機械情報を自動収集する。
このため、工作機械１の記憶部１１（機械情報記憶エリア）から、機械情報を収集するためのデータ収集エージェントソフトウェアをインストールした、当業者にとって公知のエージェント装置（図示せず）を工場内ネットワーク５Ａ内に設置してもよい。そうすることで、機械情報収集部２０４は各エージェント装置と定期的、又は必要に応じて予め設定されたスケジュールで通信することにより、工場に設置された様々な種類の工作機械１の機械情報を自動収集することができる。
この場合、エージェント装置は、予め設定された起動時刻あるいは起動周期に、データ収集対象となる工作機械のＩＰアドレスリストに従って、リスト順に工作機械１の記憶部１１（機械情報記憶エリア）からデータ収集を行う。そうすることで、管理装置２の負荷を軽減させることができる。
【００４２】
なお、エージェント装置は、前述した例に限られない。管理装置２自身が、１つ又は複数のデータエージェントを備えるようにしてもよい。また、機械情報収集部２０４自身が１つ又は複数のデータエージェント機能部を備えるようにしてもよい。
また、例えば、複数の工作機械からなる工作機械群において、マスタとなる工作機械にデータ収集エージェントソフトウェアをインストールすることで、当該マスタに工作機械群に含まれるすべての工作機械の機械情報を収集させるようにしてもよい。また、工作機械１にデータ収集エージェントソフトウェアをインストールすることで、当該工作機械の機械情報を収集させるようにしてもよい。
【００４３】
機械情報収集部２０４は、当該工作機械１に係るメーカー、ベンダー、メンテナンス会社等の提供するＷｅｂページ等のＵＲＬ（情報提供サーバ４）にアクセスして、当該工作機械１に関する機械情報や保守情報等を収集するようにしてもよい。そうすることで、例えば、最新の機械情報や保守作業に必要な交換部品の在庫状況や価格等の情報を取得することができる。
【００４４】
以上のように、各工場内に設置された工作機械１の工作機械情報を自動収集するとともに、各工場に設置された全ての工作機械１の機械情報を一元管理することで、工作機械の設備管理者の保守効率を向上させることができる。
次に、このように一元管理される工作機械情報にアクセスするための機能面について説明する。
【００４５】
＜工場レイアウト提供部２０５＞
工場レイアウト提供部２０５は、入力部２６を介してユーザにより指定された工場に設置された工作機械の配置状態を図５に示すように、表示部２７や通信可能に接続されたクライアント端末３の表示部３７に表示させる。
具体的には、工場レイアウト提供部２０５は、指定された工場の工場ＩＤに紐付けられた工場レイアウト画像データを記憶部２１（工場レイアウト画像テーブル２１１）から取得するとともに、当該工場に配置されたすべての工作機械１を記憶部２１（位置情報テーブル２１２）から取得する。
【００４６】
工場レイアウト提供部２０５は、取得した各工作機械１のアイコン画像を工場レイアウト画像上の当該工作機械１の座標位置にそれぞれ配置した工作機械配置状態レイアウト画像データを編集し、編集した工作機械配置状態レイアウト画像データを表示部２７やクライアント端末３の表示部３７に表示させる。
なお、工作機械配置状態レイアウト画像データは、縦軸と横軸とによって、例えば碁盤の目状に区切られた領域を表示することが好ましい。そうすることで、ユーザは、工場内の各工作機械１の実際の配置状況が一目でわかるとともに、各工作機械１の設置面積、他の工作機械１との位置関係等を明確に判断することができる。
【００４７】
なお、上記に説明した工場レイアウト提供部２０５は、ユーザにより要求されたときに、工作機械配置状態レイアウト画像を、工場レイアウト画像データと、当該工場に配置されたすべての工作機械１の座標位置情報とに基づいて作成する構成を例示したが、これに限られない。
工場レイアウト提供部２０５は、予め工作機械配置状態レイアウト画像を作成して、作成した工作機械配置状態レイアウト画像データを記憶部２１に記憶しておいてもよい。例えば、工場レイアウト提供部２０５は、工場に工作機械１が新たに設置されるとき、又は工作機械１の同一工場内の他の位置への移設又は他の工場への移設が行われるときに、位置情報生成部２０２１又は位置情報更新部２０２２により作成又は更新される工作機械１の位置情報レコードに基づいて、記憶部２１に記憶している最新の工作機械配置状態レイアウト画像を更新するようにしてもよい。
そうすることで、工場レイアウト提供部２０５は、入力部２６やクライアント端末３を介してユーザにより指定された工場に設置された工作機械の配置状態を、記憶部２１に記憶している最新の工作機械配置状態レイアウト画像データを取得して表示部２７やクライアント端末３の表示部３７に表示させることができ、最新の工作機械配置状態レイアウトを迅速に表示させることができる。
【００４８】
＜機械情報提供部２０６＞
機械情報提供部２０６は、表示部２７に表示された工作機械配置状態レイアウト画像を介して選択された工作機械の機械情報を、記憶部２１（機械情報テーブル２１３）から取得して、取得した当該工作機械の機械情報を、図６に示すように、表示部２７やクライアント端末３の表示部３７に表示させる。
具体的には、機械情報提供部２０６は、表示部２７やクライアント端末３の表示部３７に表示された工作機械配置状態レイアウト画面上に表示された工作機械１に対応するアイコンが操作された場合（例えば、クリックされた場合）、図６に示すように、当該アイコンに対応する工作機械１の機械情報を表示画面に編集して、表示させる。
こうすることで、工作機械１の設備管理者や保守作業者のみならず、一般作業者であっても、工場内の任意の場所に設置された様々な工作機械の詳細な機械情報を容易に把握することができ、工作機械資産の見える化を可能とする。
【００４９】
なお、機械情報の提供方法については、これに限られない。アイコン画像がクリックされることで、機械情報に含まれる各種情報リスト（例えば、ハードウェア仕様情報、ソフトウェア仕様情報、保守情報、画像情報等）を表示して、ユーザに選択させる選択画面を表示するようにしてもよい。この機能を利用することで、例えば、機械情報が多くの情報を含む場合に、必要な情報（例えば、保守情報）を効率よく照会することができる。
また、アイコンの操作に対応づけられる処理は、機械情報の照会に限られない。機械情報にアクセスする任意の機能（例えば、機械情報の追加更新機能等）に対応付けてもよい。
【００５０】
［クライアント端末について］
図７に示すように、クライアント端末３は、管理装置２と同様に、制御部３０と、記憶部３１と、通信部３５と、入力部３６と、表示部３７と、を備える。クライアント端末３は、例えば、ＰＣ、タブレット端末、スマートフォン等の携帯端末であって、カメラ（図示せず）を備えて、静止画像データ及び動画データを撮像できることが好ましい。
【００５１】
前述したとおり、制御部３０は、管理装置２の位置情報登録部２０２、機械情報登録部２０３、工場レイアウト提供部２０５、及び機械情報提供部２０６の提供する機能を利用するためのユーザインタフェース（以下「ＵＩ」ともいう）を提供することができる。図７に示すように、管理装置２の位置情報登録部２０２、機械情報登録部２０３、機械情報収集部２０４、工場レイアウト提供部２０５、及び機械情報提供部２０６の提供する機能を利用するためのユーザインタフェース（ＵＩ）を提供する機能部を、それぞれ、位置情報登録ＵＩ部３０２、機械情報登録ＵＩ部３０３、工場レイアウト提供ＵＩ部３０５、及び機械情報提供ＵＩ部３０６という。
【００５２】
具体的には、例えば、管理装置２の位置情報登録部２０２、機械情報登録部３０２、工場レイアウト提供部２０５、及び機械情報提供部２０６をＷｅｂサーバ上に構成して、工作機械１に関する位置情報及びアイコン画像情報等を登録（生成・更新）するためのユーザインタフェース画面、工作機械１の機械情報を登録（生成・更新）するためのユーザインタフェース画面、工作機械配置状態レイアウト情報、工場内の任意の場所に設置された様々な工作機械の詳細な機械情報を、ＨＴＭＬ等で提供するようにしてもよい。そうすることで、Ｗｅｂブラウザを備えるクライアント端末の制御部３０を、位置情報登録ＵＩ部３０２、機械情報登録ＵＩ部３０３、工場レイアウト提供ＵＩ部３０５、及び機械情報提供ＵＩ部３０６として機能させることができる。
【００５３】
これにより、工作機械１の設備管理者や保守作業者は、工場から遠く離れた場所にいても、工作機械ごとの（保守情報を含む）機械情報にアクセスすることができる。また、何らかのトラブルが発生した場合、作業者は例えばタブレット端末やスマートフォン等のクライアント端末３により工作機械１の状況を画像データや動画データに撮影して、遠隔地にいる管理者や保守作業者等に知らせるようにしてもよい。なお、作業者は、画像データや動画データを機械情報として記憶させるようにしてもよい。そうすることで、例えば、トラブル状況を解析する管理者は、当該画像データや動画データを照会するとともに、それに関連する機械情報をリモートからアクセスすることができ、現場の作業者に対して的確な指示やアドバイスを行うことができる。このように、一種のリモート保守が可能となる。
【００５４】
記憶部３１は、例えば半導体メモリやハードディスクドライブ等で構成され、管理装置２の各種機能（機械情報一元管理機能）を利用するためのＵＩを提供する各種プログラム（「ＵＩ提供プログラム」という）が記憶される。
【００５５】
通信部３５は、制御部３０からの指示を受けて、工場内ネットワーク５Ａ、広域ネットワーク５Ｂを介して管理装置２とデータ通信する。
入力部３６は、例えばキーボード、表示部２７の表示面に重ねて設けられるタッチパネル等の入力装置、ＩＣカードリーダ、バーコードリーダ、又はＩＣタグリーダ等で構成される。
表示部３７は、例えば、液晶ディスプレイ等の表示デバイスにより構成され、制御部３０からの指示を受けて各種ＵＩ画面を表示する。
【００５６】
設備管理者、保守作業者、及び作業者は、工場内に設置された工作機械１で作業を行う場合、クライアント端末３を携行することで、作業を行いながら、必要なときに、直ちにクライアント端末３から当該工作機械１に関する任意の機械情報を参照することができ、作業の効率化を図ることができる。また、クライアント端末３の備えるカメラ（図示せず）により撮像した当該工作機械１に関する画像データ、動画データ等を、例えば、機械情報として、工作機械１の記憶部１１（機械情報記憶エリア１１１）に記憶させることができる。また、管理装置２の記憶部２１（機械情報テーブル２１３）に登録することができる。
こうすることで、工場内に設置されたすべての工作機械２に関して、様々な機械情報を蓄積することが可能となり、設備管理者、保守作業者、一般作業者を含めて、全員が共有することができる。
【００５７】
［効果］
以上のように、本実施形態によれば、工場内における各工作機械１の配置位置と詳細な機械とをリンクさせて、同時に表示することができる。それにより、工場内における各工作機械１の詳細な機械情報を配置位置から一目でかつリアルタイムで把握できるため、設備管理者、保守作業者、及び一般作業者は、各工作機械１の機械情報を共有して、工作機械１に係る作業を効率的に行うことができる。
【００５８】
また、本実施形態によれば、管理装置２は、工場内に設置された各工作機械ごとに、定期的、又は必要に応じて予め設定されたスケジュールで、工場に設置された様々な種類の工作機械１の機械情報を自動収集する。また、管理装置２は、工作機械１に係るメーカー、ベンダー、メンテナンス会社等の提供するＷｅｂページ等のＵＲＬにアクセスして、当該工作機械１に関する機械情報や保守情報等を収集する。
これにより、工場内に設置された各工作機械の機械情報が適切にアップデートされ、常に最新の機械情報を照会することができる。
【００５９】
本実施形態によれば、工場から離れた場所にいても、クライアント端末３により、機械ごとの保守情報を含む機械情報に容易にアクセスすることができ、これにより、例えば、工場から離れた場所にいる保守作業者又は設備管理者は、工作機械１で作業を行っている作業者に対して、当該工作機械１の機械情報を照会することで、適切なアドバイスや指示等を行うことができる。
【００６０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００６１】
＜変形例１＞
本実施形態において管理装置２を例えばクラウド上の仮想サーバとして設けてもよい。
【００６２】
＜変形例２＞
本実施形態においては、工場内に設置された工作機械を例とする一元管理について説明したが、工作機械に限られない。前述したように、工作機械のみならず、ロボットを含む産業用機械に適用することで、工場内に設置された様々な種類の工作機械やロボットを含む産業用機械の機械情報を自動収集し、一元管理するようにしてもよい。
そうすることで、工作機械やロボットを含む産業用機械の設備管理者の保守効率が向上する。また、一般作業者であっても、工作機械やロボットを含む産業用機械の機械情報を容易に把握することができ、工作機械やロボットを含む産業用機械の機械資産の見える化を可能とする。また、工場から離れた場所から、工作機械やロボットを含む産業用機械ごとの保守情報に容易にアクセスすることができ、リモート保守を可能とする。
【００６３】
以上説明した実施形態の管理装置の全部又は一部は、ハードウェア、ソフトウェア又はこれらの組合せにより実現することができる。ここで、ソフトウェアによって実現されるとは、コンピュータがプログラムを読み込んで実行することにより実現されることを意味する。ハードウェアで構成する場合、管理装置の一部又は全部を、例えば、ＬＳＩ（Large  Scale  Integrated  circuit）、ＡＳＩＣ（Application  Specific  Integrated  Circuit）、ゲートアレイ、ＦＰＧＡ（Field  Programmable  Gate  Array）等の集積回路（ＩＣ）で構成することができる。
【００６４】
管理装置の全部又は一部をソフトウェアで構成する場合、管理装置の動作の全部又は一部を記述したプログラムを記憶した、ハードディスク、ＲＯＭ等の記憶部、演算に必要なデータを記憶するＤＲＡＭ、ＣＰＵ、及び各部を接続するバスで構成されたコンピュータにおいて、演算に必要な情報をＤＲＡＭに記憶し、ＣＰＵで当該プログラムを動作させることで実現することができる。
【００６５】
これらのプログラムは、様々なタイプのコンピュータ可読媒体（computer  readable  medium）を用いて格納され、コンピュータに供給することができる。コンピュータ可読媒体は、様々なタイプの実体のある記録媒体（tangible  storage  medium）を含む。コンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read  Only  Memory）、ＣＤ−Ｒ、ＣＤ−Ｒ／Ｗ、半導体メモリ（例えば、マスクＲＯＭ、ＰＲＯＭ（Programmable  ROM）、ＥＰＲＯＭ（Erasable  PROM）、フラッシュＲＯＭ、ＲＡＭ（random  access  memory））を含む。
また、これらのプログラムは、ネットワークを介してユーザのコンピュータにダウンロードされることにより配布されてもよい。
【符号の説明】
【００６６】
１  工作機械
１０  制御部
１０１  機械情報登録処理部
１０２  機械情報アップロード部
１１  記憶部
１１１  機械情報記憶エリア
１５  通信部
１６  入力部
１７  表示部
２  管理装置
２０  制御部
２０１  工場レイアウト画像登録部
２０２  位置情報登録部
２０２１  位置情報生成部
２０２２  位置情報更新部
２０３  機械情報登録部
２０３１  機械情報生成部
２０３２  機械情報更新部
２０４  機械情報収集部
２０５  工場レイアウト提供部
２０６  機械情報提供部
２１  記憶部
２１１  工場レイアウト画像テーブル
２１２  位置情報テーブル
２１３  機械情報テーブル
２１４  アイコン画像情報テーブル
２５  通信部
２６  入力部
２７  表示部
３  クライアント端末
３０  制御部
３０２  位置情報登録ＵＩ部
３０３  機械情報登録ＵＩ部
３０５  工場レイアウト情報提供ＵＩ部
３０６  機械情報提供ＵＩ部
３１  記憶部
３５  通信部
３６  入力部
３７  表示部
４  情報提供サーバ
５  ネットワーク
【図１】
2020016998.tif 000003
【図２】
2020016998.tif 000004
【図３】
2020016998.tif 000005
【図４】
2020016998.tif 000006
【図５】
2020016998.tif 000007
【図６】
2020016998.tif 000008
【図７】
2020016998.tif 000009